(57)【特許請求の範囲】
【請求項１】
少なくとも２つのハーフケースを着脱自在に組み付けてケーブル配索孔が形成されたケース本体を構成し、該ケース本体内に前記ケーブル配索孔から光ファイバ心線とテンションメンバを有する複数の光ケーブルを導入し、該光ケーブルのテンションメンバを前記ケース本体に止着して前記光ファイバ心線を互いに接続する光ケーブル接続用収納ケースにおいて、
前記一方のハーフケースに止着孔１６および該止着孔１６の周面に開口する差込スリット１９を形成するとともに、端部に操作部が形成され、かつ、中間部に径方向に貫通する差込孔４３ａが形成された止着部材４０を前記止着孔１６内に回動自在に嵌装し、前記テンションメンバを前記差込スリット１９および前記差込孔４３ａに挿通し前記止着部材４０を回動させて止着するとともに、
前記他方のハーフケースに組付け状態で前記止着部材４０の操作部と係合して該止着部材４０で前記テンションメンバを止着した状態に保持する保持突起５３をケースに形成したことを特徴とする光ケーブル接続用収納ケース。
【請求項２】
前記止着部材４０の操作部が、端面に形成されたマイナス溝４１ａであり、該マイナス溝４１ａに嵌合可能な保持突起５３によってテンションメンバを保持する保持部とした請求項１記載の光ケーブル接続用収納ケース。
【請求項３】
前記止着部材４０の操作部が、端部に径方向に一体に延設されたレバー４９であり、ケースの前記保持突起５３が前記レバー４９を他方のハーフケース内面に向けて押圧する凸部である請求項１記載の光ケーブル接続用収納ケース。
【発明の詳細な説明】
【０００１】
【発明の属する技術分野】
この発明は、テンションメンバと光ファイバ心線を有する光ケーブルの接続に用いる光ケーブル接続用収納ケース、詳しくは、ケース本体に回動自在に支持された止着部材にテンションメンバを挿通した後に止着部材を回動させてテンションメンバを止着する収納ケースであって、収納ケースの組付け（被蓋）で止着部材をテンションメンバの止着状態に保持するようにした光ケーブル接続用収納ケースに関する。
【０００２】
【従来の技術】
光ファイバ心線とテンションメンバを有する光ケーブルの接続に際しては、テンションメンバを止着することが不可欠である。このため、従来では、光ケーブル接続用収納ケースにねじ穴を形成し、このねじ穴に螺合するねじ部材にテンションメンバの端部を巻き付けて止着することが行われていた。
【０００３】
【発明が解決しようとする課題】
しかしながら、上述した従来の光ケーブル接続用収納ケースにあっては、ねじ部材が経時的な緩みを生じやすく、テンションメンバが外れるおそれがあるという問題があった。この問題は、ロックナット等の部材を設けること、あるいは、ねじ部材の再締め付けを定期的に行うことで解決できると考えられるが、前者にあっては構造が複雑化するのみならずテンションメンバの止着作業が煩雑化するという新たな問題を生じ、また、後者にあっては光ケーブル接続用収納ケースの設置箇所が膨大な数であるため天文学的な点検工数が必要になるという新たな問題を生じる。
この発明は、上記問題に鑑みてなされたもので、テンションメンバを経時的な緩みを生じること無く止着でき、また、止着作業も容易に行うことができる光ケーブル接続用収納ケースを提供することを目的とする。
【０００４】
【課題を解決するための手段】
上記目的を達成するため、この発明は、少なくとも２つのハーフケースを着脱自在に組み付けてケーブル配索孔が形成されたケース本体を構成し、該ケース本体内に前記ケーブル配索孔から光ファイバ心線とテンションメンバを有する複数の光ケーブルを導入し、該光ケーブルのテンションメンバを前記ケース本体に止着して前記光ファイバ心線を互いに接続する光ケーブル接続用収納ケースにおいて、
前記一方のハーフケースに止着孔および該止着孔の周面に開口する差込スリットを形成するとともに、端部に操作部が、形成され、かつ、中間部に径方向に貫通する差込孔が形成された止着部材を前記止着孔内に回動自在に嵌装し、前記テンションメンバを前記差込スリットおよび前記差込孔に挿通し前記止着部材を回動させて止着するとともに、
前記他方のハーフケースに組付け状態で前記止着部材の操作部と係合して該止着部材で前記テンションメンバを止着した状態に保持する保持突起をケースに形成した。
【０００５】
そして、この発明の光ケーブル接続用収納ケースは、前記止着部材の操作部が端面に形成されたマイナス溝であり、該マイナス溝に嵌合可能な保持突起をケースに形成した態様（請求項２）に、
また、前記止着部材の操作部が端部に径方向に一体に延設されたレバーでありケースの前記保持突起が前記レバーを他方のハーフケース内面に向けて押圧する保持とした態様（請求項３）に構成することができる。
【０００６】
【作用】
この発明にかかる光ケーブル接続用収納ケースは、一方のハーフケースの止着孔に止着部材を挿通して止着部材の差込孔と差込スリットとを連続させ、これら連続した差込孔と差込スリットに光ケーブルのテンションメンバを挿通し、止着部材を操作部の操作により止着位置まで回動させるとテンションメンバが止着孔と止着部材との間に挟持・止着される。そして、この後に、ハーフケースを組み付けると、他方のハーフケースに形成された保持突起が止着部材の操作部に係合し、止着部材の回動を禁止、すなわち、止着部材がテンションメンバを止着した位置に保持される。このため、テンションメンバの止着が外れることが確実に防止できる。
【０００７】
【実施の形態】
以下、この発明の実施の形態を図面を参照して説明する。
図１から図１４はこの発明の一の実施の形態にかかる光ケーブル接続用収納ケースを示し、図１が同光ケーブル接続用収納ケースを用いた光ケーブルの配索の状態を示す概観図、図２から図７が基体ケース（ハーフケース）を示す図、図８から図１１が蓋ケース（ハーフケース）を示す図、図１２から図１４が止着部材を示す図である。
【０００８】
図１に示すように、幹線光ケーブル１に設けられた架空クロージャ２から分岐した分岐光ケーブル３が本発明にかかる光ケーブル接続用収納ケース４に導入され、この光ケーブル接続用収納ケース４から建物９内に向けて引込光ケーブル５が分岐配索される。周知のように、光ケーブル３，５は光ファイバ心線と２本のテンションメンバを被覆して構成される。ただし、この発明にかかる光ケーブル接続用収納ケースは光コンセントとして用いることも可能であり、光コンセントとして用いた場合は壁埋め込み式、あるいは、壁外付け式のいずれの形式に構成することも可能である。
なお、図１中、６は建物９内に設置された光コンセント、７は建物９内に配索されたターミネーションケーブル、８はＯＮＵである。
【０００９】
光ケーブル接続用収納ケース（以下、単にケースと称する）４は、建物９の外壁面に取り付けられる基体ケース（ハーフケース）１０と、この基体ケース１０を被蓋する蓋ケース（ハーフケース）５０を有し、これらが組み付けられてケースを構成する。基体ケース１０は、図２，３，４に示すように、樹脂の射出成形等により形成され、平面視略矩形状をなす。この基体ケース１０は、表面（図２に図示する面、内面）の上下にそれぞれケーブル導入部１１，１２が、また、これらケーブル導入部１１，１２間にケーブル巻回接続部１３が区画形成される。
【００１０】
ケーブル導入部１１，１２はそれぞれ、表側に起設されて所定高さの平面をなし、ケーブル導入部１１の左右両側部に蓋ケース係止用の係止突条１４が突設される。そして、上側のケーブル導入部１１には、部分円弧状をなす下方の縁部の先端部からケーブル巻回接続部１３中心に向かって延出する平面視略長円状の３つのケーブル押さえ片１５が略等間隔に延設され、また、一側に止着孔１６と配索溝１７が隣接して形成される。ケーブル押さえ片１５はケーブル巻回接続部１３の後述するケーブル押さえ片と周方向交互に位置する。
【００１１】
図５，６，７に示すように、前記止着孔１６は、表側が開口し、この表側開口から後述する止着部材４０が回動自在に嵌装される。この止着孔１６には、表側開口部分の上下に条溝１８が開口し、また、中間部の１８０°離間した２か所に差込スリット１９が開口する。この条溝１８は蓋ケース５０の後述する保持突起５３が嵌合可能な幅および長さを有する。差込スリット１９は、配索溝１７側の部分が配索溝１７から止着孔１６に連続し、この部分と対向して他側の部分が止着孔１６に開口する。後述するように、この差込スリット１９には光ケーブル３，５のテンションメンバが差し込まれる。
【００１２】
前記配索溝１７は、表面側が開口する所定深さの溝であって、ケーブル導入部１１を上下に縦断する（図２，３参照）。この配索溝１７には光ケーブル３，５のいずれかが配索され、光ケーブル３，５は光ファイバ心線が配索溝１７を経てケーブル巻回接続部１３に導かれ、また、テンションメンバが配索溝１７から差込スリット１９に差し込まれて止着孔１６内で後述する止着部材４０によって止着される。
【００１３】
また、下側のケーブル導入部１２には、部分円弧状をなす上縁の先端部と連続して３つのケーブル押さえ片１５が延設され、左右両側にそれぞれ止着孔１６と配索溝１７が隣接して形成される。上述した上側のケーブル導入部１１と同様に、ケーブル押さえ片１５はケーブル巻回接続部１３中心を指向して等間隔に延出し、また、止着孔１６は上部開口の上下に条溝１８が開口して中間部に差込スリット１９が開口し、さらに、配索溝１７は光ケーブル３，５が配索可能にケーブル導入部１２を上下に縦断する。なお、２９はケーブル導入部１２の配索溝１７間に突設された嵌合突起であり、この嵌合突起２９は蓋ケース５０が取り付けられると嵌合穴（後述）に嵌合する。
【００１４】
前記ケーブル巻回接続部１３は、中央部に対向して突設された部分円弧状の一対の巻回リブ２１が突設され、また、これら巻回リブ２１の左右両側にそれぞれコネクタ収容部２３を区画する複数の突起２２が突設される。巻回リブ２１にはそれぞれ先端部にケーブル導入部１１，１２に向かって放射状に延出する２つのケーブル押さえ片２４が一体形成される。これらケーブル押さえ片２４は先端が前述したケーブル押さえ片１５と周方向交互に位置し、これらケーブル押さえ片１５，２４が巻回リブ２１廻りに巻回された光ケーブル３，５を抑えて保持する。コネクタ収容部２３にはコネクタ（図示せず）が収容され、このコネクタ収容部２３のコネクタにより光ファイバ心線が接続される。
【００１５】
なお、２５はケーブル巻回接続部１３の巻回リブ２１間に表裏を貫通して形成された取付孔であり、基体ケース１０は取付孔２５を貫通するねじやビスにより建物９の外壁に固定される。
【００１６】
止着部材４０は、図１２から図１４に示すように、両端に大径部４１，４２を、これら大径部４１，４２間に小径部４３を有するロッド状部材から構成され、前記止着孔１６に大径部４１の端面を表側に臨ませて回動自在に挿通される。この止着部材４０には、大径部４１の端面にマイナスドライバを差込可能なマイナス溝（操作部）４１ａが形成され、また、小径部４３に周面に開口する差込孔４３ａが断面十字状に形成されている。この止着部材４０は、差込孔４３ａが差込スリット１９と連続した状態でテンションメンバの端部が差込孔４３ａに差し込まれ、この状態からマイナスドライバによりマイナス溝４１ａが条溝１８と連続する位置まで回動されて（以下、止着位置と称する）テンションメンバを止着保持する。
【００１７】
また、蓋ケース５０は、図８から図１１に示すように、平面視矩形板状の被蓋部５１の左右両側にそれぞれ側片部５２を直角に起設してなり、合成樹脂の射出成形等により一体成形される。被蓋部５１には裏面（図１０に図示する面、内面）の下部左右両側および上部の一側にそれぞれ平面視略帯状の保持突起（保持部）５３が突設され、また、側片部５２の先端には爪５２ａが形成される。保持突起５３は、上下に延在し、前述した止着部材４０のマイナス溝４１ａおよび基体ケース１０の条溝１８に嵌合可能な寸法に形成される。この保持突起５３は、止着部材４０が止着位置にある場合に蓋ケース５０が基体ケース１０に取り付けられるとマイナス溝４１ａに嵌合する。爪５２ａは前述した基体ケース１０の係止突条１４に係止し、蓋ケース５０は爪５２ａの係止突条１４への係止で基体ケース１０に取り付けられる。
【００１８】
なお、５５は被蓋部５１の裏面下部中央に形成された嵌合穴であり、この嵌合穴５５には蓋ケース５０を基体ケース１０に取り付けると基体ケース１０の嵌合突起２９が嵌合する。
【００１９】
この実施の形態にかかる光ケーブル接続用収納ケース４にあっては、分岐光ケーブル３と引込光ケーブル５の接続に際しては、先ず、ケース本体１０を建物９の外壁面にビス等を用いて固定し、分岐光ケーブル３と引込光ケーブル５をそれぞれ配索溝１７に、例えば、分岐光ケーブル３を上部の配索溝１７に引込光ケーブル５を下部の配索溝１７に通す。そして、各光ケーブル３，５の光ファイバ心線は配索溝１７からケーブル巻回接続部１３に導いてコネクタにより接続し、その余長部分をケーブル押さえ片１５，２４間に巻き回して保持する。
【００２０】
また、各光ケーブル３，５のテンションメンバは配索溝１７から差込スリット１９を経て止着孔１６に導いて止着部材４０により止着する。すなわち、先ず、止着部材４０を差込孔４３ａが差込スリット１９と連続する位置に位置させた後、テンションメンバの端部を差込スリット１９から差込孔４３ａに挿通する。次いで、止着部材４０のマイナス溝４１ａにマイナスドライバの先端を差し込んで止着部材４０をマイナス溝４１ａが条溝１８と一直線状に連続するまで回動し、テンションメンバの端部を止着部材４０と止着孔１６の内周面との間に挟着保持する。
【００２１】
この後、基体ケース１０のケーブル巻回接続部１３等を蓋ケース５０により被蓋、すなわち、蓋ケース５０の側片部５２の爪５２ａを基体ケース１０の係止突条１４に係止させ、また、嵌合穴５５に嵌合突起２９を嵌合させて蓋ケース５０を基体ケース１０に取り付ける。ここで、蓋ケース５０は内面の保持突起５３が基体ケース１０の止着孔１６内の止着部材４０のマイナス溝４１ａ内に嵌合し、止着部材４０の回動を禁止する。したがって、止着部材４０により止着されたテンションメンバが緩みを生じることを防止できる。
【００２２】
図１５は、この発明の他の実施の形態にかかる光ケーブル接続用収納ケースを示し、主要部品である止着部材の正面図である。
なお、前述した実施の形態と同一の部分には同一の番号を付して説明を省略する。
【００２３】
この実施の形態は、止着部材４０の大径部４１に径方向に延出するレバー４９を手動操作可能に一体形成する。そして、図示しないが、基体ケース１０には止着部材４０の止着位置でレバー４９を収容する凹部等のレバー収容部が形成され、また、蓋ケース５０の内面には被蓋状態でレバー収容部に位置するレバー４９を押圧保持あるいは嵌着保持する保持突起５３が形成される。
【００２４】
この実施例にあっても、テンションメンバの端部を差込スリット１９から差込孔４３ａに挿通した後、止着部材４０をレバー４９により回動させてレバー収容部に位置させると、テンションメンバが止着される。次いで、蓋ケース５０を基体ケース１０に取り付けてケーブル巻回・接続部１３等を被蓋すると、蓋ケース５０の保持突起５３によりレバー４９がレバー収容部内に保持され止着部材４０の回動が禁止されるため、テンションメンバの緩みが防止できる。そして、この実施の形態は、止着部材４０の回動操作がドライバ等の工具を用いることなくレバー４９の手動操作で行えるため、ケーブル接続作業が容易である。
【００２５】
なお、上述した図１５の実施の形態においては、止着部材４０のレバー４９を取り付けた蓋ケース５０に押さえるが、レバー４９に突起や穴の係止部を、また、この係止部が係止可能な穴や突起の被係止部を基体ケース１０に形成し、これら係止部と被係止部の係止で止着部材４０を止着位置に保持することも可能である。そして、このように構成した場合は、後の取外しの便宜を図るため、レバー４９にドライバ等の工具の引掛部を形成することが望ましい。
【００２６】
また、上述した各実施の形態では、前記蓋ケース５０を基体ケース１０に取り付けることで、止着部材４０の廻り止めと押さえ（浮き上がりの防止）を行うが、蓋ケース５０によって浮き上がりの防止のみを行わせることも可能である。そして、この場合には、止着部材４０の端部に四角形等の異形断面の廻り止め部を形成するとともに、基体ケース１０の止着孔１６底面に廻り止め部が嵌合可能な同一形状の廻り止め穴を形成し、止着部材４０の廻り止め部を廻り止め穴と位相が異なる状態で挿入して廻り止め部の端面が廻り止め穴の開口縁部に乗り上げた状態でテンションメンバを差込スリット４３ａに差し込んだ後、止着部材４０を所定の角度だけ回動させて廻り止め部を廻り止め穴に嵌合させ、取り付けた蓋ケース５０の内面で止着部材４０の浮き上がりを防止するように構成する。
【００２７】
【発明の効果】
以上説明したように、この発明にかかる光ケーブル接続用収納ケースによれば、ハーフケースに止着孔を形成して該止着孔に止着部材を回動自在に嵌装するとともに、ハーフケースに止着孔の中間部に開口する差込スリットを、止着部材に差込スリットと連通可能な差込孔および操作部を形成し、光ケーブルのテンションメンバを止着する際には、テンションメンバの端部を差込スリットから止着部材の差込孔に差し込んだ後に止着部材を操作部の操作で回動させて止着し、この止着部材の操作部を後に組み付けられるハーフケースの保持突起で保持するように構成したため、テンションメンバを確実に止着でき、経時的な緩みも有効に防止できるという効果が得られる。
【図面の簡単な説明】
【図１】  この発明の一の実施の形態に係る光ケーブル接続用収納ケースを用いた光ケーブルの配索の一態様を示す模式図である。
【図２】  同光ケーブル接続用収納ケースの基体ケースの平面図である。
【図３】  同本体ケーブルの正面図である。
【図４】  図２のＡ−Ａ矢視断面図である。
【図５】  図２のＢ矢視図である。
【図６】  図２のＣ矢視断面図である。
【図７】  図２のＤ矢視断面図である。
【図８】  同光ケーブル接続用収納ケースの蓋ケースの平面図である。
【図９】  同蓋ケースの正面図である。
【図１０】  同蓋ケースの裏面図である。
【図１１】  図８のＥ−Ｅ矢視断面図である。
【図１２】  同光ケーブル接続用収納ケースに用いる止着部材の正面図である。
【図１３】  同止着部材の側面図である。
【図１４】  図１２のＦ−Ｆ矢視断面図である。
【図１５】  この発明の他の実施の形態にかかる光ケーブル接続用収納ケースに用いる止着部材の正面図である。
【符号の説明】
３          分岐光ケーブル
４          光ケーブル接続用収納ケース
５          引込光ケーブル
１０        基体ケース（ハーフケース）
１６        止着孔
１７        配索溝
１９        差込スリット
４０        止着部材
４１ａ      マイナス溝
４３ａ      差込孔
４９        レバー（操作部）
５０        蓋ケース（ハーフケース）
５３        保持突起（保持部）
【図１】
0003698480.tif 000002
【図２】
0003698480.tif 000003
【図３】
0003698480.tif 000004
【図４】
0003698480.tif 000005
【図５】
0003698480.tif 000006
【図６】
0003698480.tif 000007
【図７】
0003698480.tif 000008
【図８】
0003698480.tif 000009
【図９】
0003698480.tif 000010
【図１０】
0003698480.tif 000011
【図１１】
0003698480.tif 000012
【図１２】
0003698480.tif 000013
【図１３】
0003698480.tif 000014
【図１４】
0003698480.tif 000015
【図１５】
0003698480.tif 000016